(57)【要約】      （修正有）【課題】電波時計において表示されるカレンダー情報のうち、暦日（日付または曜日）が、第何週に該当するかを明示可能とするデスクトップ型電波時計を提供する。【解決手段】時計機能部１１と、標準電波を受信して時計機能部１１の誤差を修正する時刻調整部１２と、時計機能部１１を介してモニタ装置２０に時刻を表示させる時刻表示部１４と、暦データを格納した暦データ格納部１５と、暦データ格納部１５の格納データに基づき、月・日・曜日をモニタ装置２０に表示させるカレンダー表示部１６とを備えるデスクトップ型電波時計を技術的前提として、暦データの暦日が、第何週に該当するかを相関させた週データを格納する週データ格納部１７を設け、当該週データを、カレンダー表示部１６を介してモニタ装置２０に表示させる（請求項１）。週の数え方は一律ではないから、複数種類の週データを搭載させる場合がある（請求項２）。【選択図】図１
0003199863.tif 000002
【実用新案登録請求の範囲】
【請求項１】
時計機能部と、
標準電波を受信して前記時計機能部の誤差を修正する時刻調整部と、
前記時計機能部を介してモニタ装置に時刻を表示させる時刻表示部と、
暦データを格納した暦データ格納部と、
当該暦データ格納部の格納データに基づき、月・日・曜日を前記モニタ装置に表示させるカレンダー表示部とを備えるデスクトップ型電波時計において、
前記暦データの暦日が、第何週に該当するかを相関させた週データを格納する週データ格納部を設け、
当該週データを、前記カレンダー表示部を介して前記モニタ装置に表示させることを特徴とするデスクトップ型電波時計。
【請求項２】
週データ格納部は、複数種類の週データを備える一方、
カレンダー表示部は、
適宜箇所に配した切替スイッチ手段を介して、任意種類の週データを切替表示することを特徴とする請求項１記載のデスクトップ型電波時計。
【請求項３】
カレンダー表示部は、
曜日をあらわす文字の近傍に、週データを小文字の数字によって表示することを特徴とする請求項１または請求項２記載のデスクトップ型電波時計。
【考案の詳細な説明】
【技術分野】
【０００１】
本考案は、デスクトップ型電波時計（卓上型電波時計）に係り、とくに、暦の日付が第何週であるかを示す機能を備える電波時計に関する。
【背景技術】
【０００２】
デスクトップ型電波時計（卓上型電波時計）は、モニタ装置にメイン情報となる時刻のほか、サブ情報である各種情報、例えば、カレンダー情報（年／月／日／曜日）を表示する。
【０００３】
このようなデスクトップ型電波時計（卓上型電波時計）としては、例えば、下記特許文献１がある。これは、簡易な処理により周波数を決定して、標準時刻電波を適切に受信する技術である。
【０００４】
時刻調整部において受信した標準時刻は、内蔵する時計機能部（時計本体）の時刻を調整する。
【先行技術文献】
【特許文献】
【０００５】
【特許文献１】特開２０１０−９６５３５号
【考案の開示】
【考案が解決しようとする課題】
【０００６】
ところで、従来のデスクトップ型電波時計において表示されるカレンダーは、未だ改善の余地を残している。
【０００７】
モニタ装置に表示される年／月／日／曜日のうち、当該曜日が、月の第何週であるかは表示されないからである。
【０００８】
職業等によっては、会議／打ち合わせ／面談等の日付／曜日を、電話等で口頭確認することが少なくないし、地域の祭日や行事の日取りを、第何週であるかで決めることも少なくない。
【０００９】
このような場合、従来の電波時計では、カレンダー表示された日付が第何週であるかを確認することが出来ないため、約束や予定の日付を誤る可能性があった。
【００１０】
そこで、本考案の目的は、電波時計において表示されるカレンダー情報のうち、暦日（日付または曜日）が、第何週に該当するかを明示可能とする点にある。
【課題を解決するための手段】
【００１１】
前記目的を達成するため、本考案に係るデスクトップ型電波時計は、時計機能部と、標準電波を受信して前記時計機能部の誤差を修正する時刻調整部と、前記時計機能部を介してモニタ装置に時刻を表示させる時刻表示部と、暦データを格納した暦データ格納部と、当該暦データ格納部の格納データに基づき、月・日・曜日を前記モニタ装置に表示させるカレンダー表示部とを備えるデスクトップ型電波時計を技術的前提として、前記暦データの暦日が、第何週に該当するかを相関させた週データを格納する週データ格納部を設け、当該週データを、前記カレンダー表示部を介して前記モニタ装置に表示させる（請求項１）。
【００１２】
本考案に係る電波時計によれば、週データ格納部が、暦データの暦日が第何週に該当するかの週データを備える。このため、日付表示および曜日表示で示される暦日が、第何週に該当するかをモニタ装置に表示可能となる。
【００１３】
週データ格納部は、複数種類の週データを備える一方、カレンダー表示部は、切替スイッチを介して、任意種類の週データを切替表示する場合がある（請求項２）。
【００１４】
週の数え方、すなわち暦日が第何週に該当するかは、さまざまな要因、例えば暦の歴史的事情、或いは地域慣習等によって異なり、決して一律ではない。諸外国でも、数え方は異なることが少なくない。
【００１５】
このため、週データ格納部に、数え方の異なる複数種類の週データを設けておき、切替スイッチ手段を介して任意種類の週データを切替表示可能とする。
【００１６】
切替スイッチ手段は、適宜箇所、例えば、ケース本体の適宜箇所、或いは、モニタ装置を介して操作するメニュー表示項目の中に配しておくことが出来る。ケース本体に配する場合は、例えば押圧式ボタンによる切替操作、メニュー表示項目の中に配する場合は、押しボタン式のカーソル操作を利用して、週データの切り替え表示を行うことが出来る。
【００１７】
カレンダー表示部は、曜日をあらわす文字の近傍に、週データを小文字の数字によって表示する場合がある（請求項３）。
【００１８】
週データの表示箇所は、暦日（日付または曜日）の近傍であれば任意箇所で構わない。しかしながら、実用上、第何週の暦日であるかを知りたいときは、概ね曜日である。このため、好ましくは、曜日を表示する文字の近傍に週データを小文字数字で表記するようにすると利便性が高まる。
【考案の効果】
【００１９】
本考案に係るデスクトップ型電波時計によれば、モニタ装置に表示されるカレンダー情報のうち、日付または曜日が、第何週に該当するかを明示することが可能となる。
【図面の簡単な説明】
【００２０】
【図１】第一の実施形態に係るデスクトップ型電波時計の構成を例示するブロック図である。
【図２】第二の実施形態に係るデスクトップ型電波時計の構成を例示するブロック図である。
【考案を実施するための形態】
【００２１】
図１は、本考案に係るデスクトップ型電波時計の第一の実施形態を示すものである。
【００２２】
この電波時計１０は、従来の電波時計と同様、時計機能部（時計本体）１１と、標準電波を受信して時計機能部１１の誤差を修正する時刻調整部１２と、時計機能部１１を介してモニタ装置２０に時刻を表示させる時刻表示部１４とを備えるとともに、暦データを格納した暦データ格納部１５と、当該暦データ格納部１５の格納データに基づき、年・月・日・曜日をモニタ装置（例えば液晶式のモニタ画面）２０に表示させるカレンダー表示部１６とを備える。
【００２３】
本考案に係る電波時計１０は、暦データの暦日が、第何週に該当するかを相関させた週データを格納する週データ格納部１７を備え、当該週データを、前記カレンダー表示部１６を介してモニタ装置２０に表示させるものである。
【００２４】
時計機能部１１は、電池等の供給電源（図示せず）の支援を受けて各種の方式により時を刻む機能を備える手段である。汎用の電子部品等、半導体により装置の一機能として時刻を計測する機能を備えるものであれば良い。
【００２５】
時計機能部１１の刻時誤差は、標準電波を介して時刻調整部１２により調整する。時刻調整部１２は、例えば、定期的に標準電波を受信して時計機能部１１の誤差を修正する。
【００２６】
時刻表示部１４は、時計機能部１１が刻む時刻データを、モニタ装置２０に数字／文字のキャラクタを用いて表示する。モニタ装置２０は、各種の表示方式、例えば液晶によって数字等のキャラクタをデジタル表示する。
【００２７】
暦データ格納部１５には、少なくとも当該装置（電波時計１０）の製造／発売年の前後（特に後）の暦データを格納しておく。暦データは、少なくとも１０年前後、より好ましくは２０〜３０年程度を格納しておくことが望ましい。
【００２８】
暦データは、少なくとも、年／月／日／曜日をモニタ装置２０に対して表示可能な状態で作成する。
【００２９】
週データ格納部１７は、暦データの暦日が、第何週に該当するかを相関させた週データを格納する。カレンダー上の暦日（日付／日および曜日）の表示方法は、カレンダーの種類によって異なる。例えば、日曜日を暦の先頭にする形式、月曜日を暦の先頭にする形式等である。
【００３０】
これは、国毎に週の始まりの数え方が違うことに由来する。しかしながら、日本国内では、通常の場合、暦の週の始まりを日曜日から開始して土曜日で終わる形式で表示することが多いので、本実施形態に係る週データ格納部１７に格納する暦データも、慣習上の暦に従うことが望ましい。
【００３１】
かかる構成によれば、週データ格納部１７の暦データによって、モニタ装置２０に表示する暦日が、第何週に該当するかを、曜日または日付の近傍（例えば横）に文字表示することが可能となる。
【００３２】
例えば、当該年度の６月４日が第１週に相当するのであれば、曜日または日付の近傍に、週番号（第何週であるかをあらわす番号）「１」を示すことで、当該暦日が第一週に相当することがわかる。勿論、６月４日が第２週に相当する場合は、曜日または日付の近傍に、週番号「２」を表示すればよい。週番号の表示は、あくまでカレンダーをみるときの参考データあるから、日付や曜日のような暦のメインデータとなる文字／数字の近傍に小文字によって表示するだけで構わない。小文字で表示する数字は、例えば、アラビア数字、漢数字、ローマ数字等、適宜の数字表現を選択して用いることが出来る。週データ格納部１７に納める週データには、予め複数種類の数字表示形式を設けておき、メニュー項目設定手段等を介して、フォント、表示倍率等を含めて、週番号の表示形式を選択的に切替操作可能としておくことが望ましい。
【００３３】
図２は、本考案に係るデスクトップ型電波時計の第二の実施形態を示すものである。
【００３４】
この電波時計２１は、週データ格納部２７に、複数種類の週データを備えるものであり、カレンダー表示部２６は、適宜箇所に配した切替スイッチ（週データ切替部）２９を介して、任意種類の週データを切替表示する。他の構成は、前記実施形態と同一であるから、同一符号を附して重複する説明を省略する。
【００３５】
本実施形態において、週データ格納部２７に格納する複数種類の週データとは、例えば、一週間の始まりを日曜日から開始する週データ形式、一週間の始まりを土曜日から開始する週データ形式、一週間の始まりを月曜日から開始する週データ形式、曜日に関係なく毎月1日から7日を一週間として区切る週データ形式等である。
【００３６】
また、例えば、一週間の始まりを特定の曜日とする場合でも、月またがりの週を前月に含める週データ形式、月またがりの週を翌月に含める週データ形式、月またがりの週を月の変り目で分割する週データ形式、月またがりの週を日数の多い方の月に含める週データ形式等がある。
【００３７】
具体的には、例えば、１０月１日が土曜日で、一週間の始まりを月曜日とする週データの場合でも、月またがりの週の決め方は、次のように変化する。
【００３８】
第一に、月またがりの週を前月に含める場合は、９月２６日から１０月２日までが「９月第四週」となる。第二に、月またがりの週を翌月に含める場合は、
【００３９】
９月２６日から１０月２日までが「１０月第一週」となる。第三に、月またがりの週を月の変り目で分割する場合は、１０月１日から１０月２日までが「１０月第一週」となる。第四に、月またがりの週を日数の多い方の月に含める場合は、９月２６日から１０月２日までが「９月第五週」となる。
【００４０】
このように、週データは、一週間の開始日の決め方、月またがりの週の決め方によってさまざまに変化するから、好ましくは、できるだけ多くの種類の週データを週データ格納部２７に搭載しておき、適宜の切替スイッチ２９を介して、ユーザ自身が望ましい週データ形式を選択できるようにする。
【００４１】
但し、週データの種類が増えると、却って使い勝手が悪くなる虞があるので、例えば、初期設定では、最も広く使用される方式を優先的に表示させる機能をもたせることが望ましい。例えば、一週間の始まりを日曜日として、月またがりの週は、月の変り目で分割する等である。週の数え方は、伝統的な慣習によって異なるから、ユーザ自身が、好ましい週データを選択的に使用できるようにしておけば良い。
【００４２】
切替スイッチ２９は、モニタ装置２０の上下左右の近傍位置に、例えば押圧式スイッチとして設けることが出来る。また、モニタ装置２０に表示される操作メニューに従って、切替操作する手段構成であっても良い。
【００４３】
従って、かかる構成によれば、ユーザにとって利用上好ましい各種形式の週データを、切替スイッチ２９を介して選択的に表示利用できる。
【００４４】
なお、カレンダー表示部（１６、２６）は、週データ格納部（１７、２７）に格納されている週データを、暦データ格納部（１５）を介して読み出しても良いし、週データ格納部（１７、２７）から週データを直接読み出しても良い。
【符号の説明】
【００４５】
１０、２１  電波時計
１１  時計機能部（時計本体）
１２  時刻調整部
１４  時刻表示部
１５  暦データ格納部
１６、２６  カレンダー表示部
１７、２７  週データ格納部
２０  モニタ装置
２９  切替スイッチ（週データ切替部）
【図１】
0003199863.tif 000003
【図２】
0003199863.tif 000004